(57)【特許請求の範囲】
【請求項１】
それぞれに筆記体を取り付けた２つの移動体と、筆記体を出没可能に移動体を収納した容器本体と、上記筆記体を常時上記容器本体内に引き入れ状態に付勢する付勢手段と、上記容器本体に重ね合わせ一端部を回動可能に該容器本体に支持させた回動体と、この回動体の回動に伴い上記移動体を介して上記筆記体の一方を上記容器本体から使用状態に突出させる筆記体突出手段とから構成されてなることを特徴とする折り畳み式複合筆記具。
【請求項２】
上記回動体は、容器本体に対して左右に１８０度回転可能であることを特徴とする請求項１に記載の折り畳み式複合筆記具。
【請求項３】
上記付勢手段は、筆記体の外側に嵌め、容器本体内面と移動体前端との間に圧縮して配設したコイルスプリングであることを特徴とする請求項１または２に記載の折り畳み式複合筆記具。
【請求項４】
上記筆記体突出手段は、容器本体内に互いに併設して収納された移動体の後端から外側側面に向かって形成されたカム面と、回動体の回動時に上記カム面に当接して移動体を筆記体突出方向に移動させるように該回動体に設けたピンとからなることを特徴とする請求項１ないし３のいずれかに記載の折り畳み式複合筆記具。
【請求項５】
上記回動体の回動終端位置において上記ピンが係合して移動体を移動位置に保持する係合凹部を移動していない移動体の側面に形成していることを特徴とする請求項４に記載の折り畳み式複合筆記具。
【請求項６】
上記回動体は、容器本体に回転可能に組み付ける回動部と、この回動部に着脱可能に取り付けられた接続端子付きメモリとで構成したことを特徴とする請求項１ないし５のいずれかに記載の折り畳み式複合筆記具。
【請求項７】
上記回動部を回動可能に支持する支軸は、容器本体に相対回転不能に取り付けられ、
回動部の支軸組み付け穴の途中を先細り凹状部に形成し、この凹状部表面にローレットを形成し、上記組み付け穴に組み付ける支軸の途中に先細り斜面を形成し、この先細り斜面の表面に上記ローレットと係脱するローレットを形成したことを特徴とする請求項
６に記載の折り畳み式複合筆記具。
【請求項８】
上記回動部の支軸を中心として該回動部に設けたピンが移動するように容器本体に設けた回動通路の壁面を、上記ピンが各辺の稜線部と当接するように多角形に形成したことを特徴とする請求項６に記載の折り畳み式複合筆記具。
【請求項９】
上記容器本体の下面に間隔保持部材を介して保護体を取り付けて形成された収納空間と、この収納空間内に回動可能に収納された少なくとも１つ以上の補助具とを有することを特徴とする請求項１ないし８のいずれかに記載の折り畳み式複合筆記具。
【発明の詳細な説明】
【技術分野】
【０００１】
この発明は、シャープペンシル等の筆記体や化粧品のアイライナー等の筆記体を使用する際、使用時は容器本体を伸張し筆記しやすい形状となり、不使用時は折り畳んで容器本体内に収納して短くすることのできる折り畳み式複合筆記具に関する。なお、この発明において、筆記体とはスタイラスペンをも含めた意味で使用する。
【背景技術】
【０００２】
従来、折り畳み式複合筆記具において、容器本体内に収納された単一の筆記具を必要に応じて突出させる携帯用に便利なコンパクトな筆記具が提案されていたが、複数の筆記体を収納するものではなかった（例えば特許文献１）。
【０００３】
また、複数の筆記体を収納できるものでも、容器本体自体が丸く携帯に不便であり、かつ使用時にも、グリップ部分が丸く握りずらく筆記に不便であった（例えば特許文献２）。
その他、薄型の複数の補助具（例えば、ナイフ、定規、ハサミ、耳掻き等）を重ね合わせて軸に回動自在に取り付け、選択した補助具を、軸を中心に回動突出させて使用するものがあった。
【０００４】
【特許文献１】実開昭６３−１２８０８１号公報
【特許文献２】実公昭６２−８７４４号公報
【発明の開示】
【発明が解決しようとする課題】
【０００５】
従来の折り畳み式複合筆記具は以上のように構成されているので、実開昭６３−１２８０８１号公報記載のものでは複数の筆記体を使用できず、また、実公昭６２−８７４４号公報記載のものでは携帯、筆記に不便であるという課題があった。また、ナイフ、定規、ハサミ、耳掻き等の補助具は別に用意しなければならないという課題があった。
【０００６】
この発明は、上記のような従来の課題を解消するためになされたもので、複数の筆記体もしくは補助具を備え、筆記具使用時には伸張し筆記しやすい形状となり、不使用時は折り畳んで携帯に便利な形状とすることのできる折り畳み式複合筆記具を提供することを目的とする。
【課題を解決するための手段】
【０００７】
上記問題点を解決するために、この発明の係る折り畳み式複合筆記具は、それぞれに筆記体を取り付けた２つの移動体と、筆記体を出没可能に移動体を収納した容器本体と、上記筆記体を常時上記容器本体内に引き入れ状態に付勢する付勢手段と、上記容器本体に重ね合わせ一端部を回動可能に該容器本体に支持させた回動体と、この回動体の回動に伴い上記移動体を介して上記筆記体の一方を上記容器本体から使用状態に突出させる筆記体突出手段とから構成されてなることを主な特徴とする。
【発明の効果】
【０００８】
この発明は、不使用時は、回動体を容器本体と重なるように折り畳むことによりすべての筆記体を容器本体に収納することができるので、全体の長さを容器本体のみの長さとすることができ、コンパクト化して携帯に適している。また、使用時は回動体を左右に１８０度回動させることにより、選択した筆記体を該容器本体から突出させた際は握りやすく、筆記しやすい等の効果が得られる。
【発明を実施するための最良の形態】
【０００９】
実施の形態１
以下、この発明の実施の形態１による折り畳み式複合筆記具を図１から図９を参照して説明する。
【００１０】
図において、符号１は複数の筆記体の容器本体であり、回動体２は平面形状が容器本体１と同一の平面形状で該容器本体の一端側に支軸３によって回動可能に取り付けられている。そして符号４は握り部をかねた保護体である。この保護体４はナイフ、定規、ハサミ、耳掻き等の補助具Ｈ１，Ｈ２の収納空間５を形成するように、間隔保持部材６を介して容器本体１の下面に取り付けられている。
【００１１】
この間隔保持部材６は平面形状が容器本体１と同形の２枚の板６ａ，６ｂを、その両端中央部を一定の長さの間隔部材６ｃで連結して、端面形状をＨ形に構成したものである。また、図示例は上下板６ａの一端部にリング１７の取り付け部１６が突設され、この取り付け部１６に設けたリング１７によりキーホルダ（図示せず）に取り付けて携帯することができる。
【００１２】
容器本体１は、支軸３の上蓋部１Ａと筆記体７ａ，７ｂの下受け部１Ｂとからなる。下受け部１Ｂは後方に中空１１を、先端部には筆記体７ａ，７ｂの出入りをガイドする凹部１２ａ，１２ｂが平行して形成されている。また、下受け部１Ｂの後端部には回動体２を回動可能に支持する支軸３の取り付け部１Ｂ−１が設けられ、この下受け部１Ｂの側壁の一部、つまり、回動体２に設けられたピン１０の回動軌跡Ｅに該当する部分１Ｂ−２が欠如されている。
【００１３】
移動体８ａ，８ｂの前端側には、移動方向と平行に凹部８１ａ，８１ｂが形成されており、この凹部８１ａ，８１ｂに筆記体７ａ，７ｂの一端側を挿入して筆記体セットを構成する。また、移動体８ａ，８ｂの後端側には、互いに当接する後端に向かって先細り形状にカム面８２ａ，８２ｂが形成されており、そのカム面８２ａ，８２ｂに対応する移動体８ａ，８ｂの互いに当接する側面に係合凹部８３ａ，８３ｂが形成されている。そして、筆記体７ａ，７ｂの外側に該筆記体を常時容器本体内に付勢するコイルスプリング９ａ，９ｂが設けられている。
【００１４】
回動体２の容器本体１に対する対向面側には、移動体８ａ，８ｂのカム面８２ａ，８２ｂに作用するピン１０が設けられており、このピン１０は筆記体７ａ，７ｂを容器本体１に収納した状態から、支軸３を中心として係合凹部８３ａ，８３ｂ上を通る回動軌跡Ｅ（図１）を回動し、またこの回動により、このピン１０とカム面８２ａ，８２ｂとで筆記体突出手段を構成する。
【００１５】
容器本体１の支軸３の取り付け部１Ｂ−１は、図８に示すように、支軸３を相通する穴１５の周辺部が略肉厚分だけ低く段差１５ａに形成されている。一方、回動体２には支軸３の頭部３ａを相通する大径穴部２１ａと軸部３ｂを相通する小径穴部２１ｂが連続して形成されており、この回動体２の容器本体１に対する取り付け面側における小径穴部２１ｂの周辺には段差１５ａにはめる筒状凸部２２ａが形成されている。
【００１６】
支軸３は大径の頭部３ａと小径の軸部３ｂとからなり、その小径の軸部３ｂは少なくとも二つ割に形成されているとともに、その中間部において側方に突出する係合段部３ｃが形成され、この係合段部３ｃから軸部３ｂの先端に向かって先細り斜面３ｄに形成されている。
【００１７】
次に容器本体１に対する筆記体７ａ，７ｂの組み付け、および収納空間５に対する補助具Ｈ１，Ｈ２の組付けについて説明する。まず、筆記体７ａ，７ｂの後端を移動体８ａ，８ｂの凹部８１ａ，８１ｂに挿入固定して筆記体セットを構成する。そして、筆記体７ａ，７ｂのそれぞれにコイルスプリング９ａ，９ｂをはめ、このコイルスプリング９ａ，９ｂを押し縮めながら、容器本体１の構成要素である下受け部１Ｂの凹部１２ａ，１２ｂに筆記体７ａ，７ｂをはめるとともに、移動体８ａ，８ｂを下受け部１Ｂの中空１１内に組み付ける。次いで、この下受け部１Ｂの開放面側を覆うように上蓋部１Ａを重ねあわせ、上記両部材の当接部を溶着あるいは接着、凹凸係合等の周知の手段で一体化固定する。
【００１８】
そして、このように組み込まれた容器本体１の一端側に設けた穴１５の周辺部の段差１５ａに、回動体２の一端側に設けた穴周辺の筒状凸部２２ａをはめ合わせて、回動体２を容器本体１に重ね合わせ、このはめ合わせた筒状凸部２２ａの中心穴２２ｂに支軸３の小径の軸部３ｂを押し込む。この小径の軸部３ｂは二つ割で、かつ、先細り斜面３ｄに形成されているので、縮径しながら進行し、中心穴２２ｂを通過し終えると、弾性復元して、側方に突出する係合段部３ｃが、容器本体１の穴縁内面に係合して抜止めとなり、支軸３の大径頭部３ａと係合段部３ｃとで、容器本体１および回動体２とを挟持する。
【００１９】
また、容器本体１の底面に間隔保持部材６により形成された収納空間５内には、その間隔保持部材６の構成要素である上下板６ａまたは６ｂに設けた軸６ｄ１または６ｄ２に補助具Ｈ１，Ｈ２を、使用状態では収納空間５から突出し、不使用時は収納空間５に収納するように回動可能に設ける。そして、使用状態において、間隔部材６ｃは図２に示すように、補助具Ｈ１，Ｈ２の背面を受けて該補助具を使用状態に維持するストッパとしても機能する。
【００２０】
上記のように構成された実施の形態１の使用形態を説明する。不使用時は、図１乃至図３に示すように、回動体２を容器本体１と重なるように折り畳んでおく。この状態においては、図１に示すように、回動体２のピン１０は移動体８ａ，８ｂのカム面８２ａ，８２ｂに作用しない位置に位置する。このため、移動体８ａ，８ｂはコイルスプリング９ａ，９ｂの弾性復元力により、後端が支軸に当接するまで容器本体１内に引き込まれる。支軸３に当接と限定されるものではなく、別に容器内にリブを設けて当接する構成にしてもよい。この結果、移動体８ａ，８ｂと一体の筆記体７ａ，７ｂも容器本体１内に引き込まれる。
【００２１】
次に、筆記体７ａ（例えば、黒色の筆記体）を使用する場合は、回動体２を図５に示すように反時計方向に１８０度回動させると、その回動の終端近くで回動体２のピン１０が移動体８ａの後端のカム面８２ａに当接し、以後、引き続く回動体２の回動に伴って移動体８ａをコイルスプリング９ａの弾性力に抗して前進させ、筆記体７ａの先端部を容器本体１の外へ突出させる。そして、回動体２が１８０度回動した位置において、回動体２のピン１０が移動していない移動体８ｂの側面に形成された係合凹部８３ｂに係合して、回動体２の回動位置が固定される。
【００２２】
そして、コイルスプリング９ａの常時容器本体１内包への弾性力が加えられた移動体８ａの後端が、係合凹部８３ｂに係合したピン１０の突出部に当接して、移動体８ａの後退が止められ、筆記体７ａは突出位置に保持される。この回動体２の回動時、ピン１０は下受け部１Ｂの側壁の欠如部１Ｂ−２から該下受け部１Ｂの外部に出て、回動軌跡Ｅ上を回動して再び他の欠如部１Ｂ−２から下受け部１Ｂ内に入るように回動する。
【００２３】
次に反対の筆記体７ｂ（例えば、赤色の筆記体）を使用する場合は、回動体２を図６に示すように上記と反対の時計方向に１８０度回動させると、その回動終端近くで回動体２のピン１０が移動体８ｂの後端のカム面８２ｂに当接し、以後、引き続く回動体２の回動に伴って移動体８ｂをコイルスプリング９ｂの弾性力に抗して前進させ、筆記体７ｂの先端部を容器本体１の外へ突出させる。そして、回動体２が１８０度回動した位置において、回動体２のピン１０が移動していない移動体８ａの側面に形成された係合凹部８３ａに係合して、回動体２の回動位置が固定される。
【００２４】
そして、コイルスプリング９ｂの常時容器本体１内方の弾性力が加えられた移動体８ｂの後端が、係合凹部８３ａに係合したピン１０の突出部に当接して、移動体８ｂの後退が止められ、筆記体７ｂは突出位置に保持され、上記筆記体７ａを使用状態にしたときと同様の作用効果が得られる。
【００２５】
以上のように、この実施の形態１によれば、筆記体７ａを使用状態にしたときには、回動体２も容器本体１と直線状となる状態に回動保持されるため、容器本体１を指先で握ると、支持軸が丁度手中に収まり筆記しやすいものである。また、移動体８ａの後端がピン１０の係合凹部８３ｂからの突出部に当接して、移動体８ａの後退を止めているので、筆記時に筆記体７ａを筆記面に強く押し付けても筆記体７ａは容器本体１内に後退することがなく、常に安定して筆記することができる。しかも、回動体２のピン１０の回動軌跡Ｅは容器本体１の外部を通る構成であるから、容器本体１の幅は移動体８ａ，８ｂを収納できる幅があればよく、容器本体１の幅を極力小さくすることができ、全体の形状を細長く筆記に適した形状とすることができる。
【００２６】
不使用時は、回動体２を容器本体１と重なるように折り畳むことにより、すべての筆記体７ａ，７ｂも容器本体１内に引き込まれ、全体の長さを容器本体１の長さとなるように小さく折り畳まれ、コンパクト化して携帯に適するものである。そして、回動体２を時計方向または反時計方向に１８０度回動させることにより、筆記体７ａ，７ｂを交互に筆記状態にできるので、取り扱いが容易である。
【００２７】
一方、補助具Ｈを使用する場合は、図１乃至図３に示すように、回動体２は容器本体１と重なるように折畳み、筆記体７ａ，７ｂを容器本体１に収納した状態において、図２に示すように、補助具Ｈ１を取り付け軸６ｄ１を中心に回動させて、収納空間５から外部に突出させる。この状態において、容器本体１の上下に重なり合っている回動体２と保護体４を握って使用する。この場合、補助具Ｈに力が加わっても、その背面が間隔部材６ｃに当接して、それ以上の回動が阻止されるので、補助具Ｈ１に大きな力を加えることができ、使用が容易である。
【００２８】
実施の形態２
図１０は、この発明の実施の形態２の折り畳み式複合筆記具を示す。上述した実施の形態１では、容器本体１に回動体２を回動可能に取り付ける支軸３としては、大径の頭部３ａと小径の軸部３ｂとからなり、その小径の軸部３ｂは、その中間部において側方に突出する係合段部３ｃが形成され、この係合段部３ｃから軸部３ｂの先端に向かって先細り斜面３ｄに形成されているものを用い、回動体２の筒状凸部２２ａの中心穴２２ｂに支軸３の小径の軸部３ｂを縮径しながら押し込み、中心穴２２ｂを通過、側方に突出する係合段部３ｃを支軸３の取り付け部１Ｂ−１の穴縁内面に係合させている。
【００２９】
この実施の形態２では、支軸３を相通する穴１５の周辺部に形成された段差１５ａから筆記体７ａ，７ｂの上蓋部１Ａ内に突出してネジ筒部１５ｂを設け、回動体２の筒状凸部２２ａの中心穴に通してネジ軸３０をネジ筒部１５ｂにねじ込んで、軸３０の大径頭部３０ａで回動体２の筒状凸部２２ａを取り付け部１Ｂ−１の段差１５ａに押圧させて、回動体２を取り付けるもので、回動体２の取り外しが容易である。
【００３０】
実施の形態３
図１１〜図１７は接続端子付きメモリを利用可能に構成した実施の形態３による折り畳み式複合筆記具を示す。
【００３１】
この実施の形態３は、上記実施の形態１，２における回動体２を、容器兼用の回動部３１と該回動部に着脱可能に取り付ける接続端子付きメモリ３２とで構成し、この回動部３１に対する接続端子付きメモリ３２の装着状態の平面形状が容器本体１と同一の平面形状である。そして、回動部３１の一端側は支軸３によって容器本体１に回動可能に取り付けられている。
【００３２】
回動部３１と接続端子付きメモリ３２との着脱端部には支軸３を中心とする同一高さの円弧状の凸部３１ａ，３２ａが形成され、この凸部３１ａ，３２ａの係合する凹部１ａが支軸３を中心に容器本体１の表面に形成されている。また、回動部３１の凸部３１ａの中央部と容器本体１の表面中央部には、互いに係合する凹凸部３１ｂ，１ｂが形成されている。
【００３３】
この実施の形態３は上記のような構成であるから、接続端子付きメモリ３２を使用しないときは、図１１〜図１３に示すように、回動部３１に接続端子付きメモリ３２を装着して容器本体１に重ね合わせる。この状態において、凸部３１ａ，３２ａと凹部１ａ、凸部３１ｂと凹部１ｂを係合させる。これにより、接続端子付きメモリ３２は容器本体１の表面に沿って回動部３１から抜け落ちること、また、回動部３１が支軸３を中心に不用意に回動することが防止される。
【００３４】
また、接続端子付きメモリ３２を使用するときは、図１４、図１５に示すように、回動部３１を支軸３を中心に９０度回動させて、円弧状凸部３１ａ，３２ａと凹部１ａとの係合を外した後、接続端子付きメモリ３２を凹凸部３１ｂ，１ｂが外れるように引っ張って、回動部３１から引き外し、図示しないＰＣ等に装着して使用する。
【００３５】
実施の形態４
図１８〜図２２は実施の形態４による折り畳み式複合筆記具を示す。
【００３６】
この実施の形態４は、回動部３１の接続端子付きメモリ３２の差込口内壁にテーパー部３１ｃを設け、このテーパー部３１ｃに係合する係合段部３２ｂを接続端子付きメモリ３２に設けている。また、回動部３１を容器本体１に重ね合わせたとき、両者に対向して互いに係合する凹凸部３１ｄ，１ｄを設けている。
【００３７】
この実施の形態４は上記のような構成であるから、回動部３１の差込口に接続端子付きメモリ３２を装着すると、その差込口内壁のテーパー部３１ｃを接続端子付きメモリ３２の係合段部３２ｂが乗り越えて係合し抜け止めとなる。この状態で接続端子付きメモリ３２を使用しないときは、図１８〜図２０に示すように、回動部３１を容器本体１に重ね合わせると、凸部３１ｄと凹部１ｄとが係合し、回動部３１の不用意な回動が防止されるとともに、回動部３１から接続端子付きメモリ３２の抜け落ちも防止される。
【００３８】
また、接続端子付きメモリ３２を使用するときは、図２１、図２２に示すように、凸部３１ｄと凹部１ｄとの係合を外して、回動部３１を支軸３を中心に９０度回動させた後、係合段部３２ｂが差込口内壁のテーパー部３１ｃを乗り越えるように接続端子付きメモリ３２を引っ張って回動部３１から取り外し、図示しないＰＣ等に装着して使用する。
【００３９】
実施の形態５
図２３および図２４は実施の形態５による折り畳み式複合筆記具を示す。この実施の形態５は筆記体の繰り出し操作、収納操作を認識できるように、回動部３１の回動に応じて回動音を発生させるようにしたもので、回動部３１の回動にともない該回動体に設けられたピン１０が移動する容器本体１に形成された回動通路３３の壁面を多角形部３４に形成して、その各辺が合流する稜線部３５にピン１０が当接するように構成したものである。
【００４０】
この実施の形態５は上記の構成であるから、回動部３１を回動させると、ピン１０が回動通路３３内を移動する過程で該回動通路の稜線部３５に当接して乗り越える度にカチカチという音が発生し、筆記体の繰り出し操作、収納操作を認識することができる。
【００４１】
実施の形態６
図２５〜図２７は実施の形態６による折り畳み式複合筆記具を示す。
【００４２】
この実施の形態６は筆記体の繰り出し操作、収納操作を認識するように、回動体２の回動に応じて回動音を発生させるようにしたもので、支軸３は大径の頭部３ａと小径の軸部３ｂとからなり、その小径の軸部３ｂは少なくとも二つ割に形成されているとともに、その中間部において側方に突出する係合段部３ｃが形成され、この係合段部３ｃから軸部３ｂの先端に向かって先細り斜面３ｄに形成され、かつ、大径の頭部３ａから小径の軸部３ｂに向かって先細り斜面とし、この先細り斜面の表面にローレット３ｅが形成されている。一方、回動部３１に設けた支軸３の組み付け穴３６を大径部３６ａと小径部３６ｂとで形成し、その大径部３６ａから小径部３６ｂに至る先細り斜面の表面にローレット３ｅと係脱するローレット３６ｅを形成している。
【００４３】
この実施の形態６は上記の構成であるから、接続端子付きメモリ３２を装着した状態で回動部３１を容器本体１に重ね合わせ、容器本体１に設けられた矩形状の組み付け穴１５に支軸３を挿入し、その支軸３の二つ割下端部を縮径させながら容器本体１の穴１５を通過させ、通過後の復元によって軸部３ｂを容器本体１の穴縁に係合させる。この係合によって、回動部３１が容器本体１に回動自在に組み付け支持されるとともに、ローレット３ｅとローレット３６ｅとが係合する。支軸３の上端に組み付けた蓋３７の表面は回動部３１の表面と面一に形成されている。
【００４４】
接続端子付きメモリ３２を装着した状態で回動部３１を回動させると、支軸３は容器本体１の矩形部の組み付け穴１５に回り止め的に組みつけられているので、回動部３１が回動し、この回動過程でローレット３ｅとローレット３６ｅとが互いに係合・離脱し、この係脱過程でカチカチという音が発生し、筆記体の繰り出し操作、収納操作を認識することができる。
【００４５】
なお、実施の形態３〜６は、回動部３１に接続端子付きメモリ３２を着脱する場合について説明したが、回動部３１の回動によって該回動部に設けたピン１０が移動体８ａ，８ｂのカム面８２ａ，８２ｂに作用して、容器本体１に対し筆記体７ａ，７ｂの出し入れを行うものであるが、実施の形態１,２と同様であるからその詳細説明は省略する。また、容器本体１の底面に間隔保持部材６により形成された収納空間５を設け、その間隔保持部材６の構成要素である上下板６ａまたは６ｂに設けた軸６ｄに補助具Ｈ１，Ｈ２を、使用状態では収納空間５から突出させ、不使用時は収納空間５に収納するように回動可能に設けるようにしてもよい。
【図面の簡単な説明】
【００４６】
【図１】この発明の実施の形態１による折り畳み式複合筆記具の不使用時を表す図７のＡ−Ａ線に沿う断面図である。
【図２】その平面説明図である。
【図３】その正面図である。
【図４】一方の筆記体を突出させた使用状態を表すＡ−Ａ線に沿う断面図ある。
【図５】図４の使用状態にするための回動体の回動方向を説明する平面図である。
【図６】他方の筆記体を使用状態に突出させる場合における回動体の回動方向を説明する平面図である。
【図７】図４のＢ−Ｂ線に沿う断面図である。
【図８】図４のＣ−Ｃ線に沿う断面図である。
【図９】容器本体の一部の斜視図である。
【図１０】この発明の実施の形態２による回動体の取り付け部の断面図である。
【図１１】この発明の実施の形態３による使用時の折り畳み式複合筆記具の横断面図である。
【図１２】その縦断面図である。
【図１３】その正面図である。
【図１４】その折り畳み式複合筆記具の回動部を９０度回動させて接続端子付きメモリを取り外した状態を示す平面図である。
【図１５】その底面図である。
【図１６】接続端子付きメモリの平面図である。
【図１７】接続端子付きメモリの底面図である。
【図１８】この発明の実施の形態４による折り畳み式複合筆記具の平面図である。
【図１９】その横断面図である。
【図２０】その縦断面図である。
【図２１】その回動部を９０度回動させて接続端子付きメモリを取り外した状態を示す平面図である。
【図２２】その底面図である。
【図２３】この発明の実施の形態５による折り畳み式複合筆記具の使用時の横断面    図である。
【図２４】その不使用時の正面図である。
【図２５】この発明の実施の形態６による折り畳み式複合筆記具の横断面図である    。
【図２６】その不使用時の底面図である。
【図２７】その縦断面図である。
【図２８（ａ）】支軸の平面図である。
【図２８（ｂ）】その正面図である。
【図２８（ｃ）】その底面図である。
【符号の説明】
【００４７】
１  容器本体
２  回動体
３  支軸
４  保護体
５  収納空間
６  間隔保持部材
７ａ，７ｂ  筆記体
８ａ，８ｂ  移動体
９ａ，９ｂ  コイルスプリング（付勢手段）
１０  ピン
１１  中空
１５  穴
１６  取り付け部
１７  リング
Ｅ  回動軌跡
Ｈ１，Ｈ２  補助具
３０  ネジ軸
３１  回動部
３１ａ，３１ｂ  凸部
３１ｃ  テーパー部
３２  接続端子付きメモリ
３２ａ  凸部
３２ｂ  係合段部
３３  回動通路
３４  多角形部
３５  稜線部
３６  組み付け穴
３ｅ，３６ｅ  ローレット
３７  蓋
【図１】
0005143487.tif 000002
【図２】
0005143487.tif 000003
【図３】
0005143487.tif 000004
【図４】
0005143487.tif 000005
【図５】
0005143487.tif 000006
【図６】
0005143487.tif 000007
【図７】
0005143487.tif 000008
【図８】
0005143487.tif 000009
【図９】
0005143487.tif 000010
【図１０】
0005143487.tif 000011
【図１１】
0005143487.tif 000012
【図１２】
0005143487.tif 000013
【図１３】
0005143487.tif 000014
【図１４】
0005143487.tif 000015
【図１５】
0005143487.tif 000016
【図１６】
0005143487.tif 000017
【図１７】
0005143487.tif 000018
【図１８】
0005143487.tif 000019
【図１９】
0005143487.tif 000020
【図２０】
0005143487.tif 000021
【図２１】
0005143487.tif 000022
【図２２】
0005143487.tif 000023
【図２３】
0005143487.tif 000024
【図２４】
0005143487.tif 000025
【図２５】
0005143487.tif 000026
【図２６】
0005143487.tif 000027
【図２７】
0005143487.tif 000028
【図２８（ａ）】
0005143487.tif 000029
【図２８（ｂ）】
0005143487.tif 000030
【図２８（ｃ）】
0005143487.tif 000031